(57)【要約】【課題】  固形物微粒子懸濁液を濃縮する濃縮装置と、濃縮装置の底部に沈殿した汚泥を吸引して汚泥を加圧脱水する汚泥脱水装置とを備える固形物微粒子懸濁液処理装置であって、汚泥脱水装置の濾室内圧が上昇しても、濃縮装置の底部に沈殿した汚泥を汚泥脱水装置が吸引できる固形物微粒子懸濁液処理装置を提供する。【解決手段】  固形物微粒子懸濁液処理装置は、固形物微粒子懸濁液を濃縮する濃縮装置と、濃縮装置の底部に沈殿した汚泥を流動化させる汚泥流動化装置と、流動化した汚泥を吸引して汚泥を加圧脱水する汚泥脱水装置とを備える。【選択図】  図１
2008264720.tif 000002
【特許請求の範囲】
【請求項１】
固形物微粒子懸濁液を濃縮する濃縮装置と、濃縮装置の底部に沈殿した汚泥を流動化させる汚泥流動化装置と、流動化した汚泥を吸引して汚泥を加圧脱水する汚泥脱水装置とを備えることを特徴とする固形物微粒子懸濁液処理装置。
【請求項２】
汚泥流動化装置は濃縮装置の底部から濃縮装置の所定の部位へ延びる汚泥通路と当該通路の途上に配設されたポンプとを有し、汚泥脱水装置は、汚泥通路の途上から当該通路を流れる流動化した汚泥を吸引することを特徴とする請求項１に記載の固形物微粒子懸濁液処理装置。
【請求項３】
汚泥流動化装置は濃縮装置の底部で汚泥を流動化させる汚泥攪拌装置を有し、汚泥脱水装置は、濃縮装置の底部から流動化した汚泥を吸引することを特徴とする請求項１に記載の固形物微粒子懸濁液処理装置。
【発明の詳細な説明】
【技術分野】
【０００１】
本発明は、固形物微粒子懸濁液処理装置に関するものである。
【背景技術】
【０００２】
固形物微粒子懸濁液を濃縮する濃縮装置と、濃縮装置の底部に沈殿した汚泥を吸引して汚泥を加圧脱水する汚泥脱水装置とを備える固形物微粒子懸濁液処理装置が従来から使用されている。
【発明の開示】
【発明が解決しようとする課題】
【０００３】
汚泥脱水装置が濃縮装置の底部に沈殿した汚泥を吸引するためには、先ず沈殿した汚泥を流動化させねばならない。しかし、汚泥脱水装置の作動が継続して汚泥脱水装置の濾室内の汚泥濃度が上昇し濾室内圧が上昇すると、汚泥脱水装置の汚泥吸引力が低下して濃縮装置の底部に沈殿した汚泥を流動化できなくなり、ひいては汚泥を吸引できなくなる。
本発明は上記問題に鑑みてなされたものであり、固形物微粒子懸濁液を濃縮する濃縮装置と、濃縮装置の底部に沈殿した汚泥を吸引して汚泥を加圧脱水する汚泥脱水装置とを備える固形物微粒子懸濁液処理装置であって、汚泥脱水装置の濾室内圧が上昇しても、濃縮装置の底部に沈殿した汚泥を汚泥脱水装置が吸引できる固形物微粒子懸濁液処理装置を提供することを目的とする。
【課題を解決するための手段】
【０００４】
上記課題を解決するために、本発明においては、固形物微粒子懸濁液を濃縮する濃縮装置と、濃縮装置の底部に沈殿した汚泥を流動化させる汚泥流動化装置と、流動化した汚泥を吸引して汚泥を加圧脱水する汚泥脱水装置とを備えることを特徴とする固形物微粒子懸濁液処理装置を提供する。
本発明に係る固形物微粒子懸濁液処理装置においては、汚泥流動化装置が濃縮装置の底部に沈殿した汚泥を流動化させる。汚泥が流動化していれば、汚泥吸引力が低下した汚泥脱水装置でも、汚泥を吸引することができる。
【０００５】
本発明の好ましい態様においては、汚泥流動化装置は濃縮装置の底部から濃縮装置の所定の部位へ延びる汚泥通路と当該通路の途上に配設されたポンプとを有し、汚泥脱水装置は、汚泥通路の途上から当該通路を流れる流動化した汚泥を吸引する。
汚泥通路を介して濃縮装置の底部から濃縮装置の所定の部位へ向けて汚泥を圧送することにより、汚泥を流動化することができる。この場合、汚泥脱水装置は汚泥通路内の流動化した汚泥を吸引すれば良い。
【０００６】
本発明の好ましい態様においては、汚泥流動化装置は濃縮装置の底部で汚泥を流動化させる汚泥攪拌装置を有し、汚泥脱水装置は、濃縮装置の底部から流動化した汚泥を吸引する。
汚泥攪拌装置を作動させて濃縮装置の底部で汚泥を流動化することができる。この場合、汚泥脱水装置は濃縮装置の底部から流動化した汚泥を吸引すれば良い。
【発明の効果】
【０００７】
本発明により、固形物微粒子懸濁液を濃縮する濃縮装置と、濃縮装置の底部に沈殿した汚泥を吸引して汚泥を加圧脱水する汚泥脱水装置とを備える固形物微粒子懸濁液処理装置であって、汚泥脱水装置の濾室内圧が上昇しても、濃縮装置の底部に沈殿した汚泥を汚泥脱水装置が吸引できる固形物微粒子懸濁液処理装置が提供される。
【発明を実施するための最良の形態】
【０００８】
本発明の実施例に係る固形物微粒子懸濁液処理装置を説明する。
【実施例１】
【０００９】
図１に示すように、固形物微粒子懸濁液処理装置は、複数のフィルター１ａとフィルター１ａを収納する濃縮槽１ｂとを有し固形物微粒子懸濁液を濃縮する濃縮装置１と、濃縮槽１ｂの底部から濃縮槽１ｂの上部へ延びる汚泥通路２ａと汚泥通路２ａの途上に配設されたポンプ２ｂとを有する汚泥流動化装置２と、一端がポンプ２ｂの下流側で汚泥通路２ａに連通する汚泥吸引通路３ａと汚泥吸引通路３ａの途上に上流から下流へ向けて順次配設された止水弁３ｂとポンプ３ｃと汚泥吸引通路３ａの下流端が濾室３ｄ’に連通するフィルタープレス３ｄとを有する汚泥脱水装置３とを備えている。
【００１０】
固形物微粒子懸濁液処理装置においては、図示しない研磨装置、洗浄装置等から排出され固形物微粒子懸濁水が図１に太線矢印で示すように濃縮槽１ｂの下部に流入する。
フィルター１ａを介して固形物微粒子懸濁水から水分が分離される。各フィルター１ａを通過して固形物微粒子懸濁水から分離された水分は、合流した後、図１に太線二重矢印で示すように、図示しない研磨装置、洗浄装置等へ戻される。
水分が分離除去されるとにより、濃縮槽１ｂ内の固形物微粒子懸濁水が濃縮される。懸濁水中の固形物微粒子は濃縮槽１ｂの底部に汚泥となって沈殿堆積する。
【００１１】
ポンプ２ｂが作動し、濃縮槽１ｂの底部に沈殿堆積した汚泥を流動化して汚泥通路２ａ内へ吸引し、図１に白抜矢印で示すように、濃縮槽１ｂの上部まで圧送する。
止水弁３ｂが開弁しポンプ３ｃが作動して、汚泥通路２ａ内の流動化した汚泥を汚泥吸引通路３ａ内へ吸引し、図１に白抜二重矢印で示すように、フィルタープレス３ｄの濾室３ｄ’まで圧送する。汚泥は濾室３ｄ’内で加圧脱水され固形物化されてケーキとなり、フィルタープレス３ｄから取り出される。汚泥から除去された水分は図１に太線三重矢印で示すように図示しない研磨装置、洗浄装置等へ戻される。
【００１２】
本実施例に係る固形物微粒子懸濁液処理装置においては、汚泥流動化装置２が濃縮槽１ｂの底部に沈殿堆積した汚泥を流動化させる。汚泥脱水装置３の作動が継続してフィルタープレスの濾室３ｄ’内の汚泥濃度が上昇し濾室内圧が上昇すると、ポンプ３ｃの吸引力が低下して汚泥脱水装置３の汚泥吸引力が低下するが、汚泥流動化装置２によって汚泥は流動化しているので、汚泥吸引力が低下した汚泥脱水装置３でも、汚泥を吸引することができる。
【実施例２】
【００１３】
汚泥通路２ａは、濃縮槽１ｂの底部から中部へ延びても良く、或いは濃縮槽１ｂ底部の所定の部位から当該底部の他の所定の部位へ延びても良い。
汚泥通路２ａを介して汚泥を圧送することより汚泥を流動化するのに代えて、濃縮槽１ｂの底部の四隅に水平方向へ差し向けた汚泥攪拌用のプロペラを配設し、濃縮槽１ｂの底部に水平循環流を発生させて汚泥を流動化させても良い。この場合は、図１に一点鎖線で示すように、汚泥吸引通路３ａの一端を、濃縮槽１ｂの下部に直接連通させれば良い。
濃縮装置１は、図１の構成に限定されない。汚泥脱水装置３は濾室を有する加圧脱水装置であれば良く、図１の構成に限定されない。
【図面の簡単な説明】
【００１４】
【図１】本発明の実施例に係る固形物微粒子懸濁液処理装置の構造図である。
【符号の説明】
【００１５】
１  濃縮装置
１ａ  フィルター
１ｂ  濃縮槽
２  汚泥流動化装置
２ａ  汚泥通路
２ｂ  ポンプ
３  汚泥脱水装置
３ａ  汚泥吸引通路
３ｂ  止水弁
３ｃ  ポンプ
３ｄ  フィルタープレス
３ｄ’  濾室
【図１】
2008264720.tif 000003